(57)【要約】 【課題】  ポートの数が異なるスイッチに用いる場合であっても、ポートを容易に識別可能にする。【解決手段】  ケーブルＣの交換対象スイッチ１００の交換時に使用するスイッチ交換補助具１であって、略直方体型の本体１１と、本体１１に形成され、仕切り壁１３によって区画された複数のケーブル挿入孔１２と、ケーブル挿入孔１２に対して着脱自在な挿入体１３と、を備え、ケーブル挿入孔１２は、少なくとも交換対象スイッチ１００のポート１０１と対応した位置に配設されており、交換対象スイッチ１００の交換時には、当該交換対象スイッチ１００のポート１０１と対応した位置に配設されたケーブル挿入孔１２に挿入された挿入体１４を取り外す。【選択図】  図４
2014072957.tif 000002
【特許請求の範囲】
【請求項１】
ケーブル用のスイッチの交換時に使用するスイッチ交換補助具であって、
所定の形状に形成された本体と、
前記本体に形成され、仕切り壁によって区画された複数のケーブル挿入孔と、
前記ケーブル挿入孔に対して着脱自在な挿入体と、
を備え、
前記ケーブル挿入孔は、少なくとも交換対象の前記スイッチのポートと対応した位置に配設されており、
前記スイッチの交換時には、当該スイッチのポートと対応した位置に配設された前記ケーブル挿入孔に挿入された前記挿入体を取り外す、
ことを特徴とするスイッチ交換補助具。
【請求項２】
前記仕切り壁は、可橈性を有し、
前記ケーブル挿入孔の内周は、前記ケーブルの端子部の外周よりもわずかに小さく設定されている、
ことを特徴とする請求項１に記載のスイッチ交換補助具。
【発明の詳細な説明】
【技術分野】
【０００１】
この発明は、ケーブル用のスイッチの交換時に使用するスイッチ交換補助具に関する。
【背景技術】
【０００２】
ケーブルの配線には、例えば、スイッチングハブやレイヤ３スイッチを含むスイッチが使用されている。スイッチには、多数のポートが配設されており、ケーブルを所定のポートに接続するようになっている。スイッチが故障したり、ポートを増設したりするためにスイッチを交換する際は、交換対象のスイッチ（交換対象スイッチ）のポートに接続された多数のケーブルを、新しいスイッチ（交換スイッチ）の対応するポートへそれぞれ正確に接続する必要がある。その際には、ケーブルやポートを誤認しないように、ケーブルやポートにマーキングをして挿し間違いを防止している。そのため、ケーブル数やポート数が多くなるとマーキング作業に手間と時間を要し、さらに、スイッチの交換作業終了後にはマーキングを外す作業に手間と時間を要していた。
【０００３】
ところで、配線ケーブルの取り外し及び取り付け作業を、簡易にかつ効率良く行うことが可能な作業用ボードに関する技術が知られている（例えば、特許文献１参照。）。この技術は、配線ケーブルの先端に設けられたコネクタを挿入して仮置きするための複数の貫通孔等を備え、これらの貫通孔等の近傍に、配線ケーブルの取り外し及び取り付け作業の際に目印となる識別子が設けられているものである。そして、作業者は、テレビジョン受信機の端子名称と、作業用ボードに表示された識別子とを目印に、配線ケーブルの取り外し及び取り付け作業を行うようになっている。
【先行技術文献】
【特許文献】
【０００４】
【特許文献１】実用新案登録第３１３０８３０号公報
【発明の概要】
【発明が解決しようとする課題】
【０００５】
しかしながら、特許文献１に記載された技術では、作業用ボードに貫通孔があらかじめ配設されている。このため、作業対象のテレビジョン受信機のコネクタの数と作業用ボードに貫通孔の数や配置が異なる場合は、コネクタを識別するために、端子名称を確認する必要がある。このように端子名称を付す作業が必要になるので、マーキング作業に手間と時間を要してしまう。また、端子名称によってコネクタを識別するため、識別に時間を要し、読み間違いや誤認を生じるおそれがある。
【０００６】
そこで、この発明は、前記の課題を解決し、ポートの数が異なるスイッチに用いる場合であっても、ポートを容易に識別可能なスイッチ交換補助具を提供することを目的としている。
【課題を解決するための手段】
【０００７】
前記の課題を解決するために、請求項１に記載の発明は、ケーブル用のスイッチの交換時に使用するスイッチ交換補助具であって、所定の形状に形成された本体と、前記本体に形成され、仕切り壁によって区画された複数のケーブル挿入孔と、前記ケーブル挿入孔に対して着脱自在な挿入体と、を備え、前記ケーブル挿入孔は、少なくとも交換対象の前記スイッチのポートと対応した位置に配設されており、前記スイッチの交換時には、当該スイッチのポートと対応した位置に配設された前記ケーブル挿入孔に挿入された前記挿入体を取り外す、ことを特徴とするスイッチ交換補助具。
である。
【０００８】
この発明によれば、ケーブル挿入孔は、少なくとも交換対象のスイッチのポートと対応した位置に配設されており、スイッチの交換時には、当該スイッチのポートと対応した位置に配設されたケーブル挿入孔に挿入された挿入体が取り外される。
【０００９】
請求項２に記載の発明は、請求項１に記載のスイッチ交換補助具において、前記仕切り壁は、可橈性を有し、前記ケーブル挿入孔の内周は、前記ケーブルの端子部の外周よりもわずかに小さく設定されている、ことを特徴とする。
【発明の効果】
【００１０】
請求項１に記載の発明によれば、スイッチの交換時は、交換対象のスイッチのポートと対応した位置に配設されたケーブル挿入孔に挿入された挿入体を取り外すことにより、交換対象のスイッチのポートとスイッチ交換補助具のケーブル挿入孔とを、対応する配置にすることができる。すなわち、１つのスイッチ交換補助具において、取り外す挿入体の配置を変えることで、ポート数が異なる交換対象のスイッチのポートの位置に対応させることが出来る。このように、１つのスイッチ交換補助具を、ポート数や配置が異なる交換対象のスイッチのポートの配置に対応させることができるので、作業に使用する部品数を削減することができる。
【００１１】
また、交換対象のスイッチのポートとスイッチ交換補助具のケーブル挿入孔とを、対応する配置にすることができるので、ケーブルの接続位置の正否を視覚的に容易に判断することが可能である。つまり、例えば、ケーブルやポートにマーキングしなくても、対応する位置に配設されているポートにケーブルを接続し直せばよい。このため、スイッチ交換作業に要する手間と時間とを削減できる。
【００１２】
請求項２に記載の発明によれば、仕切り壁は、可橈性を有し、ケーブル挿入孔の内周は、ケーブルの端子部の外周よりもわずかに小さく設定されているので、ケーブル挿入孔は、ケーブルを狭持することができる。すなわち、ケーブル挿入孔からケーブルが容易に抜け落ちることを防止できるので、スイッチ交換作業を正確に実施可能である。
【図面の簡単な説明】
【００１３】
【図１】この発明の実施の形態に係るスイッチ交換補助具を示す斜視図である。
【図２】図１のスイッチ交換補助具のケーブル挿入孔の部分拡大図である。
【図３】図１のスイッチ交換補助具を使用したスイッチ交換作業において、交換対象スイッチの下方にスイッチ交換補助具を配設した状態を示す斜視図である。
【図４】図１のスイッチ交換補助具を使用したスイッチ交換作業において、交換対象スイッチのポートに対応するスイッチ交換補助具のケーブル挿入孔の挿入体を取り出した状態を示す斜視図である。
【図５】図１のスイッチ交換補助具を使用したスイッチ交換作業において、ケーブルを交換対象スイッチから取り外し、スイッチ交換補助具のケーブル挿入孔に挿入した状態を示す斜視図である。
【図６】図１のスイッチ交換補助具を使用したスイッチ交換作業において、ケーブルをスイッチ交換補助具のケーブル挿入孔から取り外し、交換スイッチに接続した状態を示す斜視図である。
【発明を実施するための形態】
【００１４】
つぎに、この発明の実施の形態について図面を用いて詳しく説明する。
【００１５】
図１ないし図６は、この発明の実施の形態を示している。スイッチ交換補助具１は、ケーブル用のスイッチの交換時に使用するものであり、図１に示すように、主として、本体１１と、ケーブル挿入孔１２と、仕切り壁１３と、挿入体１４と、吊下げ具１５とを備えている。
【００１６】
本体１１は、可橈性を有する部材で略直方体状に形成されており、後述する交換対象スイッチ１００、交換スイッチ２００と略同等の大きさ、形状に設定されている。この本体１１には、正面側から背面側に向かってケーブル挿入孔１２が複数配設されている。
【００１７】
ケーブル挿入孔１２は、本体１１の正面側から背面側に略水平に形成されており、ケーブルＣの端子部を狭持可能な大きさ、形状に設定されている。また、ケーブル挿入孔１２は、複数が並んで配設されており、この実施の形態では、上下２列、本体１１の長手方向に２０列の合計４０個のケーブル挿入孔１２が配設されている。ここで、ケーブル挿入孔１２の数や配置は、例えば、使用するスイッチに配設されているポートの数や配置の中で、多いものに合わせて形成しておく。図１、図２に示すように、ケーブル挿入孔１２は、仕切り壁１３によって区画されている。
【００１８】
仕切り壁１３は、図２に示すように、隣接するケーブル挿入孔１２を区分けするためのものであり、可橈性を有する材料で構成されている。仕切り壁１３は、長手方向に隣接するケーブル挿入孔１２を区分けする第１の仕切り壁１３ａと、上下２列のケーブル挿入孔１２を区分けする第２の仕切り壁１３ｂとを備えている。仕切り壁１３は、ケーブル挿入孔１２にケーブルＣが挿入された際に変形（伸縮）して、ケーブルＣを押圧して狭持するようになっている。
【００１９】
挿入体１４は、ケーブル挿入孔１２に対して着脱自在であり、ケーブル挿入孔１２の内周よりもわずかに小さい外周を有しており、ケーブル挿入孔１２と係合するように設定されている。挿入体１４は、例えば、つまんで手前に引くとケーブル挿入孔１２から容易に取り外せ、押し込むとケーブル挿入孔１２に容易に挿入できるようになっている。図１、図２においては、ケーブル挿入孔１２１−１〜１２１−２０、１２２−１〜１２２−１５、１２２−１７〜１２２−２０は挿入体１２１−１〜１４１−２０、１４２−１〜１４２−１５、１４２−１７〜１４２−２０が挿入されて塞がれた状態であり、ケーブル挿入孔１２２−１６は挿入体１４２−１６が取り外されて開口した状態である。
【００２０】
吊下げ具１５は、本体１１の長手方向の両端面（側面）に配設されており、剛性を備えた針金を鉤状に加工して形成されている。この吊下げ具１５は、交換対象スイッチ１００が取り付けられたラック（図示略）の取付穴に自由端側を挿入することができるようになっている。これにより、スイッチ交換補助具１をラック内の交換対象スイッチ１００の近傍に固定した状態で交換作業が出来るようになっている。
【００２１】
交換対象スイッチ１００は、ケーブルＣの配線に用いられるものであり、具体的には例えば、スイッチングハブやレイヤ３スイッチを含むスイッチであり、ラックに固定されている。この実施の形態においては、図３に示すように、交換対象スイッチ１００は、複数のポート１０１１、１０１２、１０１３１〜１０１３８、１０１４１〜１０１４８、１０１５１〜１０１５８が配設されている。また、交換対象スイッチ１００には、ポート１０１１、１０１２、１０１３５、１０１３６、１０１４５、１０１５５に、ケーブルＣ１〜Ｃ６が接続されている。
【００２２】
交換スイッチ２００は、交換対象スイッチ１００と交換して設置されるスイッチであり、交換対象スイッチ１００と同等の構成である。
【００２３】
つづいて、スイッチ交換補助具１を用いたスイッチの交換方法について説明する。ここでは、交換対象スイッチ１００が故障し、同等の構成を有する交換スイッチ２００に交換する場合について説明する。
【００２４】
まず、図３に示すように、交換対象スイッチ１００が配設されたラックに、スイッチ交換補助具１が吊下げ具１５を介して交換対象スイッチ１００の下方に固定される。すなわち、交換対象スイッチ１００の下方にスイッチ交換補助具１が並べて配設される。
【００２５】
そして、図４に示すように、スイッチ交換補助具１のケーブル挿入孔１２に挿入されている挿入体１４の中で、交換対象スイッチ１００のポート１０１と対応した位置に配設されているものが取り外される。具体的には、ケーブル挿入孔１２２−１、１２２−２、１２１−４〜１２１−７、１２２−４〜１２２−７、１２１−９〜１２１−１２、１２２−９〜１２２−１２、１２１−１４〜１２１−１７、１２２−１４〜１２２−１７に挿入されている挿入体１４２−１、１４２−２、１４１−４〜１４１−７、１４２−４〜１４２−７、１４１−９〜１４１−１２、１４２−９〜１４２−１２、１４１−１４〜１４１−１７、１４２−１４〜１４２−１７が取り外される。これにより、スイッチ交換補助具１は、交換対象スイッチ１００のポート１０１と対応した位置にケーブル挿入孔１２が開口した状態にされる。
【００２６】
そして、図５に示すように、交換対象スイッチ１００のポート１０１１、１０１２、１０１３５、１０１３６、１０１４５、１０１５５に接続されたケーブルＣ１〜Ｃ６が取り外されて、スイッチ交換補助具１のケーブル挿入孔１２２−１、１２２−２、１２２−４、１２２−５、１２１２２−９、１２２−１４に挿入される。すなわち、作業者の片手で交換対象スイッチ１００のポート１０１からケーブルＣが取り外されて、ケーブルＣを狭持したままの片手をまっすぐ下方に移動させて、そのポート１０１と対応した位置のスイッチ交換補助具１のケーブル挿入孔１２にケーブルＣが接続される。この作業がケーブルＣ１〜Ｃ６について繰り返される。このとき、仕切り壁１３は可橈性を有しており変形するので、ケーブル挿入孔１２にケーブルＣ１〜Ｃ６を押し込むと、仕切り壁１３によって押圧されて狭持される。
【００２７】
そして、交換対象スイッチ１００がラックから取り外される。
【００２８】
そして、図６に示すように、ラック内の交換対象スイッチ１００が固定されていた場所に、交換スイッチ２００が固定される。スイッチ交換補助具１のケーブル挿入孔１２２−１、１２２−２、１２２−４、１２２−５、１２１２２−９、１２２−１４に挿入されたケーブルＣ１〜Ｃ６が取り外されて、交換スイッチ２００のポート２０１１、２０１２、２０１３５、２０１３６、２０１４５、２０１５５にケーブルＣ１〜Ｃ６が接続される。すなわち、作業者の片手でケーブル挿入孔１２からケーブルＣが取り外されて、ケーブルＣを狭持したままの片手をまっすぐ上方に移動させて、そのケーブル挿入孔１２と対応した位置の交換スイッチ２００のポート２０１にケーブルＣが接続される。この作業がケーブルＣ１〜Ｃ６について繰り返される。このとき、仕切り壁１３は可橈性を有しており変形するので、ケーブル挿入孔１２に挿入されたケーブルＣは手前に引くと取り外される。
【００２９】
すべてのケーブルＣ１〜Ｃ６が、交換スイッチ２００のポート２０１に接続されると、スイッチ交換補助具１がラックから取り外される。
【００３０】
このようにして、交換対象スイッチ１００のポート１０１と対応した位置にあるスイッチ交換補助具１の挿入体１４を取り外すことによって、交換対象スイッチ１００のポート１０１とスイッチ交換補助具１のケーブル挿入孔１２の位置が対応される。これにより、ケーブルＣの取り外し時や、接続時は、対応する位置にケーブルを抜差しすればよいので、正しい位置の確認が容易になる。
【００３１】
以上のように、このスイッチ交換補助具１によれば、スイッチの交換時は、交換対象スイッチ１００のポート１０１と対応した位置に配設されたケーブル挿入孔１２に挿入された挿入体１４を取り外すことにより、交換対象スイッチ１００のポート１０１とスイッチ交換補助具１のケーブル挿入孔１２とを、対応する配置にすることができる。すなわち、１つのスイッチ交換補助具１において、取り外す挿入体１４の配置を変えることで、ポート数が異なる交換対象スイッチ１００のポート１０１の位置に対応させることが出来る。このように、１つのスイッチ交換補助具１を、ポート数が異なる交換対象スイッチ１００のポート１０１の位置に対応させることができるので、作業に使用する部品数を削減することができる。
【００３２】
また、交換対象スイッチ１００のポート１０１とスイッチ交換補助具１のケーブル挿入孔１２とを、対応する配置にすることができるので、ケーブルＣの接続位置の正否を視覚的に容易に判断することが可能である。つまり、ケーブルＣの取り外し時や、接続時は、ケーブルＣやポート１０１にマーキングを付したりせずに、対応する位置に配設されているケーブル挿入孔１２やポート２０１にケーブルＣを抜差しすればよい。このため、正しい位置の確認が容易になり、スイッチ交換作業に要する手間と時間とを削減できる。また、ケーブルを接続するポートの位置を確認することが容易になり、接続間違いを防止することができるので、交換作業を正確かつ迅速に行うことができる。
【００３３】
また、仕切り壁１３は、可橈性を有し、ケーブル挿入孔１２の内周は、ケーブルＣの端子部の外周よりもわずかに小さく設定されているので、ケーブル挿入孔１２に挿入されたケーブルＣを押圧することによって確実に狭持することができる。すなわち、ケーブル挿入孔１２からケーブルＣが容易に抜け落ちることを防止できるので、スイッチ交換作業を正確に実施可能である。
【００３４】
また、スイッチ交換補助具１の挿入体１４を、交換対象スイッチ１００のポート１０１と対応した位置にあるものを取り外すことによって、ポート１０１の配置が異なる交換対象スイッチ１００に対応可能である。
【００３５】
以上、この発明の実施の形態について説明したが、具体的な構成は、これらの実施の形態に限られるものではなく、この発明の要旨を逸脱しない範囲の設計の変更等があっても、この発明に含まれる。例えば、交換対象スイッチ１００を交換スイッチ２００と交換する場合について説明したが、ポートを増設するためにポート数の異なるスイッチと交換する場合であっても使用可能である。この場合は、例えば、スイッチ交換補助具１の挿入体１４を、増設スイッチ（交換スイッチ）のポートと対応した位置にあるものを取り外す。そして、交換対象スイッチのポートに接続されたケーブルを取り外して、交換スイッチのポートと対応した位置のケーブル挿入孔１２にケーブルを接続する。そして、交換対象スイッチをラックから取り外し、交換スイッチをラックに固定した後、ケーブル挿入孔１２に挿入されたケーブルを取り外して、交換スイッチのポートにケーブルを接続する。このようにして、ポートを増設するためにポート数の異なるスイッチと交換する場合であっても使用可能である。
【００３６】
また、ケーブル挿入孔１２、仕切り壁１３、挿入体１４を異なる色に着色して、視認性をより高めてもよいことはもちろんである。
【符号の説明】
【００３７】
１              スイッチ交換補助具
１１            本体
１２            仕切り壁
１３            ケーブル挿入孔
１４            挿入体
１５            吊下げ具
１００          交換対象スイッチ
１０１          ポート
２００          交換スイッチ
２０１          ポート
Ｃ              ケーブル
【図１】
2014072957.tif 000003
【図２】
2014072957.tif 000004
【図３】
2014072957.tif 000005
【図４】
2014072957.tif 000006
【図５】
2014072957.tif 000007
【図６】
2014072957.tif 000008